(57)【要約】【課題】従来のコートやショールのような外衣と比較して、長時間着用しても着衣がずれたり形が崩れたりせず、しかも作製が容易で、かつ携行性およびファッション性に優れる外衣を提供する。【解決手段】肩幅程度の長さの切れ目１１を略中央に有する平面状布帛１０から成るケープ状外衣とし、この切れ目１１に背中から両腕を通して羽織る。【選択図】  図７
2004183147.tif 000002
【特許請求の範囲】
【請求項１】
肩幅程度の長さの切れ目を略中央に有する平面状布帛から成ることを特徴とするケープ状外衣。
【請求項２】
切れ目形状が、十字、Ｔ字、円形、楕円形のいずれかであることを特徴とする請求項１に記載のケープ状外衣。
【請求項３】
布帛の形状が、正方形、長方形、円形、楕円形のいずれか、またはこれらの形状における周辺部を一部切り取った形状であることを特徴とする請求項１または２に記載のケープ状外衣。
【請求項４】
布帛がフリースもしくは不織布の如く裁断面がほつれない素材から成ることを特徴とする請求項１〜３のいずれかに記載のケープ状外衣。
【請求項５】
切れ目が十字もしくはＴ字状であり、該切れ目の長さが調節可能となっていることを特徴とする請求項１〜４のいずれかに記載のケープ状外衣。
【発明の詳細な説明】
【０００１】
【発明の属する技術分野】
本発明は、肩に羽織って着用するケープやショールなどの外衣に関する。
【０００２】
【従来の技術】
市場には、コートやジャケット、カーディガンなど様々な種類の外衣が存在する。コートのような厚手の外衣は、着用している場合はその重さやかさ高さがあまり問題にならない。しかし、例えば外から暖房が効いた場所に入った場合のように外衣を脱いで携行する段になると、その重さやかさ高さから外衣が非常に邪魔になる。
このような問題を解決するものとして、ショールやスカーフのような平面状のものがある。これらはその携行の容易さや簡便性などから、多くの女性に使用されている。しかし、これらは長時間着用していると着衣がずれて形が崩れてくる。そこで、所定の切れ目を入れ、着衣がずれにくくしたショールなどが創作されている（特許文献１参照）。
【０００３】
【特許文献１】
実開昭５４−２０８２４号公報
【０００４】
【発明が解決しようとする課題】
上記のような従来技術に係る外衣は、通常の衣類作製と同程度の縫製を必要としたり、作製が容易なものにおいてはファッション性が劣る場合が多い。
本発明はこのような課題を解決するために成されたものであり、その目的とするところは長時間着用しても着衣がずれたり形が崩れたりせず、しかも作製が容易で、かつ携行性およびファッション性に優れる外衣を提供することにある。
【０００５】
【課題を解決するための手段】
上記課題を解決するために成された本発明に係るケープ状外衣は、肩幅程度の長さの切れ目を略中央に有する平面状布帛から成ることを特徴とする。
【０００６】
【発明の実施の形態】
本発明に係るケープ状外衣は、平面状布帛の略中央に肩幅程度の長さの切れ目を入れるのみの、例えば図１のような非常に簡単な作りの外衣である。この外衣は、図２のように肩幅程度に入れられた切れ目が水平方向に位置するように布１０の方向を設定し、切れ目１１部分から両腕を後ろ手に左右に通して、従来のケープのように肩に掛けて着用する。ここで、切れ目１１を入れる位置の略中央とは、布１０のまさに中心であってもよいし、肩幅程度の長さの切れ目１１が入れられれば、布１０の中心部から周辺部方向へ布１０の大きさ（直径もしくは長さ）の１／４程度ずれていてもよい。
本外衣においては布１０に肩幅程度の長さの切れ目１１を入れる点が重要である。まず、切れ目１１に両腕を通すため、長時間着用しても外衣がずれることがない。また、肩幅程度の長さの切れ目１１により、通常の衣類同様、布１０が肩に沿って体にフィットした形状となる。
【０００７】
本発明に係る外衣において、切れ目の形状や布上での位置は特に問わず、その方向も適宜設定可能である。なお、方向性を問わない切れ目を設定した場合は、布の方向を気にせず外衣を着用できるという利点がある。
また、本外衣は布帛の略中央に単純な切れ目を入れるのみで作製可能なため、従来の衣類と比較して縫製が非常に容易となる。
【０００８】
布に関しては、素材は特に問わず、目的に応じて厚地のウールやアクリル等の素材を用いてもよいし、スカーフのようなシルク素材を用いてもよい。なお、フリースや不織布のように裁断面がほつれない素材の布を用いた場合は、布に切れ目を入れるのみでよく、ほつれ防止のための特別な処理を必要としないため、生産性が更に上がるという利点がある。
形状も特に問わない。通常のケープやショール、スカーフのように円形、矩形、正方形にしてもよいし、これらの周辺部の一部を切り取って、星型のような特殊形状にしてもよい。
布の大きさも特に問わない。しかし、各人に丁度適した大きさで邪魔にならず、しかも携行を容易とするため、着用した際に袖部分にあたる布の長さが腕の長さ程度となることが好ましい。ただし、例えば腰部を寒さから保護するためやファッション性の観点から、布の短辺もしくは短径を腕の長さ程度とする布としてもよいし、好みに応じて、例えば手の甲まで覆われるような大きさの布にしてもよい。
【０００９】
本発明に係る外衣では着用する各人の体型を勘案して布の大きさを決定し、肩幅程度の長さの切れ目を設定する。このため、商品化の際には通常の衣類のように、３種類程度のサイズ展開をすることが好ましい。また、世界一市場化している現在は、アジアや欧米各国に本発明に係る商品を輸出したり、現地生産することが考えられるが、このような場合は各人種の体型に合うように外衣を作製する必要がある。
【００１０】
本発明に係る外衣は、一見ポンチョのように見える形状を有する。しかし、従来のポンチョにおいては布の中心に入れられた切れ目は、頭は通るが着用時に肩が露出しない程度の長さもしくは大きさに設定されるため、ポンチョを本発明のように着用することはできない。一方、本発明に係る外衣の切れ目は肩幅程度の長さと比較的長いため、ポンチョのように切れ目から頭を通して着用すると、外衣の肩部分が肩から落ちた、見た目に劣る外観となる。また、保温目的で使用する場合は肩が露出し、その役割を十分に果たさない。このように、本発明に係る外衣は、従来のポンチョとは全く異なるものである。
【００１１】
【発明の効果】
本発明に係る外衣は、肩幅程度の長さの切れ目を略中央に有する平面状布帛から成るため、従来のコートやショールのような外衣と比較して、長時間着用しても着衣がずれたり形が崩れたりしない。しかも作製が容易で、かつ携行性およびファッション性に優れている。
【００１２】
【実施例】
図１は本発明に係る外衣の一実施例であり、円形状の布帛１０の中心に十字の切れ目１１を入れた例である。図１の例では十字を形成する２本の切れ目１１の長さは等しいが、少なくとも一の切れ目が肩幅程度の長さであれば、他の切れ目はそれよりも短くてもよい。肩幅程度の長さの切れ目により両腕を通した形での着用が可能になり、他方の切れ目により窮屈さを感じることなく着用することが可能となる（図２）。
布帛１０を正方形状とし、その中心に切れ目１１の交点が位置するようにした例を図３に示す。この例では、切れ目１１をＴ字状とし、「Ｔ」の横棒を肩幅程度の長さとして布帛１０の対角線上に置いた。着用時は、これに両腕を通す。
図４は、布帛１０を楕円形状とし、切れ目１１も同様に楕円状の穴としたものである。この楕円状の切れ目（穴）１１の長径を肩幅程度の長さとする。
図１〜図４に示すように、本発明に係る外衣においては、布帛形状は、円、楕円、矩形、正方形など様々な形状にすることができる。また、布帛１０の略中央に入れる切れ目１１も、十字、Ｔ字、円形、楕円形など様々な形状とすることができる。布帛形状と切れ目形状およびその位置・方向の組み合わせは特に問うものではない。
【００１３】
正方形状の布帛１０を使用し、切れ目１１を十字状として、切れ目１１の交点が布帛１０の一の対角線上の約１／３の点に位置するようにした外衣を図５（ａ）に示す。切れ目１１の交点からの距離が長い方の頂点（図５（ａ）では下の方の頂点）が着用の際外側に現れるように切れ目１１に両腕を通して着用する。これにより、図５（ｂ）に示すように、内側の布が外側の布の下に隠れて、外観上美しく着用することができる。なお、布帛１０は円形又はその他の形状であってもよい。また、切れ目１１はＴ字であってもよいし、円形状もしくは楕円形状であってもよい。
【００１４】
布には好みに応じて種々の装飾を施してもよい。例えば、布の周囲部をフリンジ状にしたり、布の周囲部にフリル状のものを縫合するなどである。
また、図６のように、中心線を境に色や模様が切り替わる布１０を用いれば、２枚分の外衣を所有するのと同様に、ファッションに応じて２つの色もしくは模様を使い分けることができる。ただし、このように使用する場合、一色ずつ使用可能なように、切れ目１１の長辺または長径の方向を注意して設定しなければならない。
表裏で異なる色や模様が用いられた布１０を使用したり、表裏で異なる種類の２枚の布１０を縫い合わせた場合は、リバーシブル外衣として使用することができ、この場合もファッションに応じて表裏の２つの色もしくは模様を使い分けることができる。このような外衣の着用例を図７に示す。背面では異なる色もしくは模様を有する布１０の表裏の面が上下に現れる。このような特性を利用して、更にデザインを施した外衣も作製可能である。
また、複数枚の布をパッチワーク状に縫い合わせた一枚の布や、複数の布を用いて所望のデザインの一枚の布を作製し、本発明の外衣に用いることもできる。
【００１５】
切れ目１１が十字もしくはＴ字である場合、そのうちの肩幅程度の長さを有する切れ目を、ファスナーやボタン・スナップなどにより長さ調節可能として、肩幅の異なる人が一の外衣を使用できるようにしてもよい。ファスナーを設ける場合は、その切れ目は中心から外側に開くようにする。図８はファスナーにより切れ目１１の長さを調節可能とした例である。図８では一の切れ目の一部がファスナーで開閉されるような構造になっているが、切れ目の全長が開閉されるような構造であってもよい。切れ目１１は直線であるため、ファスナーを取り付ける場合であっても複雑な縫製は必要とせず、容易に本発明に係る外衣を作製することができる。
【図面の簡単な説明】
【図１】肩幅程度の長さの十字の切れ目を略中央に有する円形状の布帛から成る本発明に係る外衣の平面図。
【図２】図１の外衣を着用する際の腕と切れ目部分の様子を示す背面図。
【図３】肩幅程度の長さのＴ字の切れ目を略中央に有する正方形状の布帛から成る本発明に係る外衣の平面図。
【図４】肩幅程度の長さの楕円形状の切れ目を略中央に有する楕円形状の布帛から成る本発明に係る外衣の平面図。
【図５】（ａ）正方形状の布帛を使用し、切れ目を十字状として、切れ目の交点が布帛の一の対角線上の約１／３の点に位置するようにした外衣の平面図、（ｂ）（ａ）の外衣の着用時の背面図。
【図６】布の中心に切れ目を有し、布を略等分する線を境に色が切り替わる円形状の布帛から成る、それぞれの色で着用可能な本発明に係る外衣の平面図。
【図７】布の中心に切れ目を有する、表裏で色の異なる円形状の布帛から成る本発明に係る外衣の着用状態の背面図。
【図８】切れ目の中心から外側に開くようなファスナーを備える、切れ目の長さが調節可能な外衣の平面図。
【符号の説明】
１０…布帛
１１…切れ目
【図１】
2004183147.tif 000003
【図２】
2004183147.tif 000004
【図３】
2004183147.tif 000005
【図４】
2004183147.tif 000006
【図５】
2004183147.tif 000007
【図６】
2004183147.tif 000008
【図７】
2004183147.tif 000009
【図８】
2004183147.tif 000010